(57)【要約】【課題】離す操作と押さえる鍵操作が同時に要求される場合を少なくして演奏し易いクラリネット属を提供すること。【解決手段】ベル側からマウスピース側に向かって音孔０〜２４の通常音孔が形成され、これら音孔及び音孔を開閉する鍵等を所定操作することにより特定の音を発するクラリネット属であり、Ｂ音、Ｃ♯音、Ｄ♯音の順、LowＥ音、LowＦ♯音、Ｇ♯音の順、Ｃ、Ｃ♯音、Ｄ♯音の順、LowＦ音、LowＦ♯音、Ｇ♯音の順、LowＤ♯音、LowＥ音、LowＦ♯音の順、及び、LowＦ音、LowＤ♯音、LowＥ音の順番で演奏する際に、鍵等を離す操作と押す操作を同時に必要としない音孔配列及び鍵配列とした。【選択図】図２
2008216832.tif 000002
【特許請求の範囲】
【請求項１】
ベル側からマウスピース側に向かって音孔が形成され、これら音孔及び音孔を開閉する鍵等を所定操作することにより特定の音を発するクラリネット属において、
Ｂ音、Ｃ♯音、Ｄ♯音の順番で演奏する際に、鍵等を離す操作と押す操作を同時に必要としない音孔配列及び鍵配列としたことを特徴とするクラリネット属。
【請求項２】
ベル側からマウスピース側に向かって音孔が形成され、これら音孔及び音孔を開閉する鍵等を所定操作することにより特定の音を発するクラリネット属において、
LowＥ音、LowＦ♯音、Ｇ♯音の順番で演奏する際に、鍵等を離す操作と押す操作を同時に必要としない音孔配列及び鍵配列としたことを特徴とするクラリネット属。
【請求項３】
ベル側からマウスピース側に向かって音孔が形成され、これら音孔及び音孔を開閉する鍵等を所定操作することにより特定の音を発するクラリネット属において、
Ｃ音、Ｃ♯音、Ｄ♯音の順番で演奏する際に、鍵等を離す操作と押す操作を同時に必要としない音孔配列及び鍵配列としたことを特徴とするクラリネット属。
【請求項４】
ベル側からマウスピース側に向かって音孔が形成され、これら音孔及び音孔を開閉する鍵等を所定操作することにより特定の音を発するクラリネット属において、
LowＦ音、LowＦ♯音、Ｇ♯音の順番で演奏する際に、鍵等を離す操作と押す操作を同時に必要としない音孔配列及び鍵配列としたことを特徴とするクラリネット属。
【請求項５】
ベル側からマウスピース側に向かって音孔が形成され、これら音孔及び音孔を開閉する鍵等を所定操作することにより特定の音を発するクラリネット属において、
LowＤ♯音、LowＥ音、LowＦ♯音の順番で演奏する際に、鍵等を離す操作と押す操作を同時に必要としない音孔配列及び鍵配列としたことを特徴とするクラリネット属。
【請求項６】
ベル側からマウスピース側に向かって音孔が形成され、これら音孔及び音孔を開閉する鍵等を所定操作することにより特定の音を発するクラリネット属において、
LowＦ音、LowＤ♯音、LowＥ音の順番で演奏する際に、鍵等を離す操作と押す操作を同時に必要としない音孔配列及び鍵配列としたことを特徴とするクラリネット属。
【請求項７】
ベル側からマウスピース側に向かって音孔が形成され、当該音孔及び音孔を開閉する鍵等を所定操作することにより特定の音を発するクラリネット属において、
（１）Ｂ音、Ｃ♯音、Ｄ♯音の順、（２）LowＥ音、LowＦ♯音、Ｇ♯音の順、（３）Ｃ、Ｃ♯音、Ｄ♯音の順、（４）LowＦ音、LowＦ♯音、Ｇ♯音の順、（５）LowＤ♯音、LowＥ音、LowＦ♯音の順、及び（６）LowＦ音、LowＤ♯音、LowＥ音の順番で演奏する際に、鍵等を離す操作と押す操作を同時に必要としない音孔配列及び鍵配列としたことを特徴とするクラリネット属。
【請求項８】
ベル側に最も近い音孔を０とし、前記ベル側から昇順として、マウスピース側に最も近い音孔を２４とするとともに、０、２、４、１０番目の音孔に追加音孔をそれぞれ併設し、これら音孔を所定の鍵等の操作によって開放若しくは閉塞することで、鍵等を離す操作と押す操作とを同時に必要としないことを特徴とする請求項１ないし７の何れかに記載のクラリネット属。
【発明の詳細な説明】
【技術分野】
【０００１】
本発明はクラリネット属に係り、更に詳しくは、既存のクラリネット属（クラリネットアルトクラリネット、バスクラリネット等）と実質的に同じような指使いで演奏できるとともに、鍵等を離す操作と押す操作とが同時に必要とされる操作を少なくして操作性の改善を図ることのできるクラリネット属に関する。
【背景技術】
【０００２】
クラリネット属は、上管と下管とからなる本体管の前記下管にベルが連結されるとともに、上管にバレル及びマウスピースが順次連結される構成となっている。本体管には、その軸線方向に沿って音孔が所定間隔を隔てて穿設されており、当該音孔を開閉することで、管の有効長さを変化させて特定の音が出せる構成となっている。ここで、音孔は、指先による開閉の他、鍵若しくはリングキー等を介して開閉される。
【０００３】
図１９には、従来のクラリネット属の鍵（触指部）、リングキー及び一部の音孔と、これらを操作する指との対応関係を示す概略展開図が示され、図２０には、全音孔と、これらを操作する鍵、リングキーとの対応関係を示す概略展開図が示されている。ここで、本明細書及び図面におけるクラリネット属の音孔は、通常のベーム式クラリネットと同じ意味の音孔に同じ数字が割り当てられており、図中下方をベル側とし、上方をマウスピース側としたときに、ベル側の音孔を０とする一方、以下昇順にマウスピース側を２４として音孔番号が付されている。また、図２０中、左側上下に沿って並ぶ音孔を示す丸印において、黒塗りで示した音孔は非操作時において閉塞状態にある一方、白抜きで示した音孔は非操作時に開放状態にあることを示す。
鍵、リングキーに付されている記号は、前記音孔を開閉する対応関係に基づいて付されており、鍵は「Ｋ」、リングキーは「Ｒ」、タンポ付きのキーは「Ｐ」として音孔番号の後ろに付し、同一の音孔番号に付される場合には、Ａ、Ｂの記号が付されている。なお、音孔番号の後ろに記号が付されていない部分については音孔のみが存在することを示す。
従って、これを図１９，図２０に付された記号について説明すると、例えば、「０Ｋ」は音孔０を操作する鍵、「１ＫＡ」は音孔１を操作する第１の鍵、「１ＫＢ」は音孔１を開閉する第２の鍵、「１６Ｒ１９Ｐ」は音孔１６を操作するリングキーであって音孔１９をも操作するタンポ付きのキー、「７Ｐ」は音孔７を操作するタンポ付きのキー、「５Ｒ６Ｒ８Ｒ９Ｐ」は、音孔５、音孔６、音孔８を操作するリングキー及び音孔９を操作するタンポ付きキー、「１１」は音孔のみであってリング等が存在しないことを示す。
【０００４】
前記従来のクラリネット属においては、一例を挙げると、以下の指使い（運指）によって所定の音が出るように調整されている。
すなわち、図２１（Ａ）ないし（Ｄ）中、黒く塗りつぶした鍵等を押さえる指使いにより、いずれもＤ♯の音が出る。
図２２（Ａ）の指使いでＣ♯音が出ることとなり、図２２（Ｂ）の指使いでＣ音が出るものとなり、図２２（Ｃ）及び（Ｄ）の指使いではＢ音が出る。
図２３（Ａ）の指使いにより、Ｇ♯音、同図（Ｂ）ないし（Ｄ）の指使いでそれぞれLowＦ♯音が出る。なお、音を示す記号の前に付される「Low」は、五線紙の下線第３線のＦ♯音より下の音について用いられる。
図２４（Ａ）及び（Ｂ）の指使いでLowＦ音となる。
図２５（Ａ）ないし（Ｃ）の指使いでLowＥ音が出る。
図２６の指使いでLowＤ♯音が出る。
なお、クラリネットの鍵機構としては、例えば、特許文献１が存在する。
【０００５】
【特許文献１】特公平３−５０２７６号公報
【発明の開示】
【発明が解決しようとする課題】
【０００６】
従来のクラリネット属においては、図２７（Ａ）、（Ｂ）、（Ｃ）にそれぞれ対応したＢ音、Ｃ♯音、Ｄ♯音をその順番で演奏する場合において、Ｂ音からＣ♯音に移るときに、右手中指を鍵５Ｒ６Ｒ８Ｒ９Ｐから離して左手小指で鍵１０Ｋを押す操作が必要となり、Ｃ♯音からＤ♯音に移るときに、左手小指を鍵１０Ｋから離すとともに左手薬指を音孔１１から離すと同時に、右手人差し指で鍵１２Ｋ押さえる操作が必要となる。このように、鍵等に対して離す操作と押さえる操作とが同時に必要となることから、演奏が難しくなる、という不都合がある。
【０００７】
また、図２８（Ａ）、（Ｂ）、（Ｃ）に対応するLowＥ音、LowＦ♯音、Ｇ♯音の順番に演奏する場合において、LowＥ音からLowＦ♯音に移るときに、右手小指を鍵１ＫＡから離して左手小指で鍵２ＫＢを押さえる操作が必要となり、LowＦ♯音からＧ♯音に移るときに、左手小指を鍵２ＫＢから離して右手小指で鍵４Ｋを押さえる操作が必要となり、同様に演奏が難しくなる。
【０００８】
更に、図２９（Ａ）、（Ｂ）、（Ｃ）に対応するＣ音、Ｃ♯音、Ｄ♯音の順に演奏する場合において、Ｃ音からＣ♯音を経てＤ♯音に移る際のＣ♯音からＤ♯に移るときに、左手小指を鍵１０Ｋから離すとともに左手薬指を音孔１１から離して右手人差し指で鍵１２Ｋを押さえる操作が必要となり、演奏が難しくなる。
【０００９】
また、図３０（Ａ）、（Ｂ）、（Ｃ）に対応するLowＦ音、LowＦ♯音、Ｇ♯音の順に演奏する場合において、LowＦ音からLowＦ♯音に移るときに、右手小指を鍵３ＫＡから離して左手小指で鍵２ＫＢを押さえる操作が必要となり、LowＦ♯音からＧ♯音に移るときに、左手小指を鍵２ＫＢから離して右手小指で鍵４Ｋを押さえる操作が必要となり、同様に演奏が難しくなる。
【００１０】
更に、図３１（Ａ）、（Ｂ）、（Ｃ）に対応するLowＤ♯音、LowＥ音、LowＦ♯音の順に演奏する場合において、LowＤ♯音からLowＥ音に移るときに、右手小指を鍵０Ｋから離して左手小指で鍵１ＫＢを押さえる操作が必要となり、LowＥ音からLowＦ♯音に移るときに、左手小指を鍵１ＫＢから離して右手小指で鍵２ＫＡを押さえる操作が必要となる。
【００１１】
また、図３２（Ａ）、（Ｂ）、（Ｃ）に対応するLowＦ音、LowＤ♯音、LowＥ音の順に演奏する場合において、LowＦ音からLowＤ♯音に移るときに、左手小指を鍵３ＫＢから離して右手小指で鍵０Ｋを押さえる操作が必要となり、LowＤ♯音からLowＥ音に移るときに、右手小指を鍵０Ｋから離して左手小指で鍵１ＫＢを押さえる操作が必要となり、同様に演奏が難しくなる。
【００１２】
なお、前記特許文献１に開示されたクラリネットにおいても、実質的に同様の指使いとなるため、演奏が難しいものといえる。
【００１３】
［発明の目的］
本発明は、前述した不都合に着目して案出されたものであり、鍵等の操作において、既存のクラリネット属と実質的に同一の指使いで演奏することができるとともに、離す操作と押さえる操作とが同時に要求される場合を少なくして演奏し易いクラリネット属を提供することにある。
【課題を解決するための手段】
【００１４】
前記目的を達成するため、本発明は、ベル側からマウスピース側に向かって音孔が形成され、これら音孔及び音孔を開閉する鍵等を所定操作することにより特定の音を発するクラリネット属において、
Ｂ音、Ｃ♯音、Ｄ♯音の順番で演奏する際に、鍵等を離す操作と押す操作を同時に必要としない音孔配列及び鍵配列としたものである。
【００１５】
また、本発明は、ベル側からマウスピース側に向かって音孔が形成され、これら音孔及び音孔を開閉する鍵等を所定操作することにより特定の音を発するクラリネット属において、
LowＥ音、LowＦ♯音、Ｇ♯音の順番で演奏する際に、鍵等を離す操作と押す操作を同時に必要としない音孔配列及び鍵配列としてもよい。
【００１６】
更に、本発明は、ベル側からマウスピース側に向かって音孔が形成され、これら音孔及び音孔を開閉する鍵等を所定操作することにより特定の音を発するクラリネット属において、
Ｃ音、Ｃ♯音、Ｄ♯音の順番で演奏する際に、鍵等を離す操作と押す操作を同時に必要としない音孔配列及び鍵配列とすることもできる。
【００１７】
また、本発明は、ベル側からマウスピース側に向かって音孔が形成され、これら音孔及び音孔を開閉する鍵等を所定操作することにより特定の音を発するクラリネット属において、
LowＦ音、LowＦ♯音、Ｇ♯音の順番で演奏する際に、鍵等を離す操作と押す操作を同時に必要としない音孔配列及び鍵配列することができる。
【００１８】
更に、ベル側からマウスピース側に向かって音孔が形成され、これら音孔及び音孔を開閉する鍵等を所定操作することにより特定の音を発するクラリネット属において、
LowＤ♯音、LowＥ音、LowＦ♯音の順番で演奏する際に、鍵等を離す操作と押す操作を同時に必要としない音孔配列及び鍵配列としてもよい。
【００１９】
また、本発明は、ベル側からマウスピース側に向かって音孔が形成され、これら音孔及び音孔を開閉する鍵等を所定操作することにより特定の音を発するクラリネット属において、
LowＦ音、LowＤ♯音、LowＥ音の順番で演奏する際に、鍵等を離す操作と押す操作を同時に必要としない音孔配列及び鍵配列が採用される。
【００２０】
更に、本発明は、ベル側からマウスピース側に向かって音孔が形成され、当該音孔及び音孔を開閉する鍵等を所定操作することにより特定の音を発するクラリネット属において、（１）Ｂ音、Ｃ♯音、Ｄ♯音の順、（２）LowＥ音、LowＦ♯音、Ｇ♯音の順、（３）Ｃ、Ｃ♯音、Ｄ♯音の順、（４）LowＦ音、LowＦ♯音、Ｇ♯音の順、（５）LowＤ♯音、LowＥ音、LowＦ♯音の順、及び（６）LowＦ音、LowＤ♯音、LowＥ音の順番で演奏する際に、鍵等を離す操作と押す操作を同時に必要としない音孔配列及び鍵配列とすることで、前述した目的をより良く達成することができる。
【００２１】
また、本発明は、ベル側に最も近い音孔を０とし、前記ベル側から昇順として、マウスピース側に最も近い音孔を２４とするとともに、０、２、４、１０番目の音孔を標準音孔としたときに、当該標準音孔に追加音孔をそれぞれ併設し、これら標準音孔及び追加音孔を所定の鍵等の操作によって開放若しくは閉塞することで、鍵等を離す操作と押す操作とを同時に必要としない操作を可能とする構成を採ることができる。
なお、本明細書において、「鍵等」というときは、鍵、リングキー、タンポ付きキーの他、必要に応じて音孔を含む概念として用いられる。
【発明の効果】
【００２２】
本発明によれば、Ｂ音、Ｃ♯音、Ｄ♯音の順、LowＥ音、LowＦ♯音、Ｇ♯音の順、Ｃ音、Ｃ♯音、Ｄ♯音の順、LowＦ音、LowＦ♯音、Ｇ♯音の順、LowＤ♯音、LowＥ音、LowＦ♯音の順、及びLowＦ音、LowＤ♯音、LowＥ音を、それらの順番で演奏するときに、離す操作と押さえる操作とが同時に必要とされないので、つまり、離す操作か押さえる操作かの何れかの選択的な操作となるため、当該操作に際して異音が出るような不都合はなく、楽な演奏を実現する。
特に、前記指使いを実現するために、追加音孔を既存の音孔に併設するだけであり、従って、鍵配列等を複雑化させるようなことはなく、また、特別な演奏技術も要求されることがないので、既存のクラリネット属の利用者にとっての使い勝手も良好に維持することができる。
【発明を実施するための最良の形態】
【００２３】
以下、本発明の好ましい実施形態について、図面を参照しながら説明する。
図１には、本実施形態に係るクラリネット属の鍵、リングキー、タンポ付きキー及び一部の音孔と、これらを操作する指との対応関係を示す概略展開図が示され、図２には、全音孔とこれらを操作する鍵、リングキー、タンポ付きキーとの対応関係を示す概略展開図が示されている。これらの図において、クラリネット属を形成する本体管（図示省略）の下半部には、右手で操作される鍵等が配列されている。すなわち、音孔１を開閉するタンポ付きキー１Ｐを操作する第１の鍵１ＫＡ、音孔０Ａを開閉するタンポ付きキー０ＡＰを操作する第１の鍵０ＡＫＡ、音孔４Ｂを開閉するタンポ付きキー４ＢＰを操作する鍵４ＢＫが一群となって右手小指の操作領域に配置されている。これらの鍵の上方には、右手薬指を用いて音孔４Ａを操作するリングキー４ＡＲ及び音孔７を開閉するタンポ付きキー７Ｐを操作する鍵７Ｋが配置され、更に、右手中指を用いて音孔６Ｂを開閉するタンポ付きキー６ＢＰを操作する鍵６ＢＫが配置されている。この鍵６ＢＫの上方における側部には、音孔６Ａを操作するとともに音孔８を開閉するタンポ付きのキー８Ｐが連結されたリングキー６ＡＲ８Ｐ、音孔１２を開閉するタンポ付きキー１２Ｐを操作する鍵１２Ｋと、音孔１７を開閉するタンポ付きキー１７Ｐを操作する鍵１７Ｋと、音孔２２を開閉するタンポ付きキー２２Ｐを操作する鍵２２Ｋ、音孔２３を開閉するタンポ付きキー２３を操作する鍵２３Ｋが右手人差し指の操作領域に配置されている。
【００２４】
本体管の上半部には、左手で操作される鍵等が配置されている。すなわち、左手小指で操作されるとともに、音孔１を開閉するタンポ付きキー１Ｐを操作する第２の鍵１ＫＢ、音孔０Ｂを開閉するタンポ付きキー０ＢＰを操作する鍵０ＢＫ、音孔２Ｂを開閉するタンポ付きキー２ＢＰを操作する鍵２ＢＫ及び音孔１０Ｂを開閉するタンポ付きキー１０ＢＰを操作する鍵１０ＢＫが一群となって配置されている。この鍵１０ＢＫの上方には、左手薬指を用いて音孔１０Ａ開閉用のリングキー１０ＡＲ及び音孔１３を開閉するタンポ付きキー１３Ｐを操作する鍵１３Ｋが配置され、更に、左手中指で、音孔１４を操作するリングキー１４Ｒ、左手人差し指で音孔１６を開閉操作するとともに、音孔１９をタンポ付きキー１９Ｐを介して開閉するリングキー１６Ｒ１９Ｐと、音孔２１を開閉するタンポ付きキー２１Ｐを操作する鍵２１Ｋ及び音孔２０を開閉するタンポ付きキー２０Ｐを操作する鍵２０Ｋが配置されている。前記リングキー１６Ｒ１９Ｐに対してバレル周方向反対側には、左手親指で音孔１８を操作するリングキー１８Ｒ及び音孔２４を開閉するタンポ付きキー２４Ｐを操作する鍵２４Ｋが配置されている。
【００２５】
図２に示されるように、音孔０Ａ、２Ｂ、４Ｂ、１０Ｂは、既存の音孔と実質的に同一の意味を有するものであるが、これら音孔には、略同一高さ位置に音孔０Ｂ、２Ａ、４Ａ、１０Ａが追加音孔として形成されている。なお、音孔６Ａ、９Ｂ、１１Ｂは、前記追加音孔とは区別される音孔であり、演奏時の音の抜けを良好とするために形成されている。
【００２６】
図３には、本実施形態にかかるクラリネット属と、従来のクラリネット属とを対称的に表す概略展開図が示されている。同図に示されるように、前記追加音孔０Ｂ、２Ａ、４Ａ、１０Ａ及び音抜け用の音孔６Ａ及び９Ｂ、１１Ｂを除き、音孔０〜２４までは、基本的に共通しており、これにより、従来のクラリネット属と実質的に同様の指使いで同一の音を出すことができるようになっている。
【００２７】
本発明におけるクラリネット属は、従来のクラリネット属と同様の指使いに加え、図４（Ａ）ないし（Ｇ）に示される指使いにより、Ｄ♯音、Ｃ♯音、Ｇ♯音、Ｇ♯音、LowＥ音、LowＥ音及びLowＤ♯音をそれぞれ出すことができる。すなわち、図４（Ａ）に示されるように、鍵１８Ｒ、１６Ｒ１９Ｐ、１０ＢＫを操作する（押さえる）ことにより、Ｄ♯音を出すことができ、図４（Ｂ）に示されるように、鍵１８Ｒ、１６Ｒ１９Ｐ、１４Ｒ、６ＢＫを操作することによりＣ♯音を出すことができ、図４（Ｃ）に示されるように、鍵１８Ｒ、１６Ｒ１９Ｐ、１４Ｒ、１０ＡＲ、６ＡＲ８Ｐ、６ＢＫ、２ＢＫを操作することによりＧ♯音を出すことができる。なお、図４（Ｃ）における鍵２ＢＫの操作に代えて鍵０ＢＫを操作することによってもＧ♯音を出すことができる（図４（Ｄ）参照）。また、図４（Ｅ）に示されるように、鍵１８Ｒ、１６Ｒ１９Ｐ、１４Ｒ、１０ＡＲ、６ＡＲ８Ｐ、６ＢＫ、４ＡＲ、１ＫＡ、０ＢＫを操作することにより、LowＥ音を出すことができる。図４（Ｅ）において、鍵１ＫＡ、０ＢＫの操作に代えて、鍵１ＫＢを操作することによってもLowＥ音を出すことができる（図４（Ｆ）参照）。更に、図４（Ｇ）に示されるように、鍵１８Ｒ、１６Ｒ１９Ｐ、１４Ｒ、１０ＡＲ、６ＡＲ８Ｐ、６ＢＫ、４ＡＲ、１ＫＢ、０ＡＫＡを操作することでLowＤ♯音を出すことができる。なお、これらの指使いにおいて、鍵２４Ｋを押すことで、１２度上の音を出すことができる。
【００２８】
図６ないし図１２には、前記図４（Ａ）ないし（Ｇ）に示された指使いをした時における音孔の開閉状態がそれぞれ示されており、その動作について、以下、図５の分解図をも参照しながら説明する。ここで、図５中、三桁の数字で示される部分は、鍵、リングに一体若しくは連結されたレバー、軸等が相互に係合若しくは接触し合う部分を示すものであり、これらの部分については、説明の便宜上、以下、単に「部位」と称する。各部位の相互関係は、点線で結ぶ線によって示されており、同点線の先端に矢印のある部位は、矢印のない部位に乗る関係にある。また、図５中「０Ｂ・２Ｂ−５Ｃ」は、鍵０ＢＫ又は鍵１２Ｋによって音孔５を開閉させるための連絡キーである。なお、音孔の初期状態、すなわち、非操作時における音孔０〜２４の開閉状態は、図２に示されるように、音孔０Ｂ、２Ｂ、４Ｂ、７，１０Ｂ、１２、１３、１７、２０〜２４が閉塞し、それら以外の音孔は全て開放している状態となっている。
【００２９】
（１）１８Ｒ、１６Ｒ１９Ｐ、１０ＢＫを押さえた場合（図４（Ａ）の指使い）
図５及び図６に示されるように、リングキー１８Ｒを押さえることで音孔１８が閉塞される。リングキー１６Ｒ１９Ｐを押さえることで音孔１６が閉塞されるとともに、タンポ付きキー１９によって音孔１９が閉塞される。鍵１０ＢＫを押さえることにより、タンポ付きキー１０ＢＰが上がって音孔１０Ｂが開放し、部位１１６が上がる（バレル表面に対して離れる）。これにより、音孔１１Ａがタンポ付きキー１１ＡＰにより閉塞するとともに部位１１５が下がり（バレル表面に対して近づく）、部位１５０が下がって音孔１５がタンポ付きキー１５Ｐにより閉塞される。これにより、図６に示されるように、音孔１４までの管の有効長さになり、Ｄ♯音が出る。なお、ここで、「管の有効長さ」とは、マウスピースからベルに向かって最初に開放されている音孔までの長さであって、その当該音程に対する気柱振動現象が生じている区間を意味する。
【００３０】
（２）１８Ｒ、１６Ｒ１９Ｐ、１４Ｒ、６ＢＫを押さえた場合（図４（Ｂ）の指使い）
図５及び図７に示されるように、リングキー１８を押さえることで音孔１８が閉塞される。リングキー１６Ｒ１９Ｐを押さえることで音孔１６が閉塞されるとともに、タンポ付きキー１９によって音孔１９が閉塞される。リングキー１４Ｒを押さえることによって音孔１４が閉塞されるとともに、部位１４０が上がって部位１１７が上がり、音孔１１Ｂがタンポ付きキー１１ＢＰにより閉塞される。同時に、部位１４５が下がって音孔１５がタンポ付きキー１５Ｐにより閉塞される。鍵６ＢＫを押さえることにより、部位０６１が上がる。これにより、部位０９６が上がって音孔９Ａがタンポ付きキー９ＡＰにより閉塞する。部位０９６が上がることで部位０９５が下がり、部位１１０が下がって音孔１１Ａがタンポ付きキー１１ＡＰにより閉塞される。また６ＢＫを押さえたときに、部位０６２も上がって部位０６５が上がり、音孔６Ｂがタンポ付きキー６ＢＰにより閉塞される。これにより、図７に示されるように、音孔１０までの有効長さになり、Ｃ♯音が出ることとなる。
【００３１】
（３）１８Ｒ、１６Ｒ１９Ｐ、１４Ｒ、１０ＡＲ、６ＡＲ８Ｐ、６ＢＫ、２ＢＫを押さえた場合（図４（Ｃ）の指使い）
図５及び図８に示されるように、リングキー１８Ｒを押さえることで音孔１８が閉塞する。リングキー１６Ｒ１９Ｐを押さえることで音孔１６が閉塞されるとともに、タンポ付きキー１９によって音孔１９が閉塞される。リングキー１４Ｒを押さえることによって部位１４０が上がって部位１１７が上がり、音孔１１Ｂが閉塞される。同時に、部位１４５が下がって音孔１５がタンポ付きキー１５Ｐによって閉塞される。リングキー１０ＡＲを押さえることにより、音孔１０Ａが閉塞されるとともに、部位１００が上がって部位０９７が上がり、音孔９Ｂがタンポ付きキー９ＢＰにより閉塞され、また、部位１０５が下がって音孔１１Ａがタンポ付きキー１１ＡＰによって閉塞される。リングキー６ＡＲ８Ｐを押さえることにより、音孔６Ａが閉塞するとともに、タンポ付きキー８Ｐで音孔８が閉塞される。同時に、部位０６０が上がって部位０９６が上がり、音孔９Ａがタンポ付きキー９ＡＰによって閉塞される。鍵６ＢＫを押さえることで、部位０６２が上がって部位０６５が上がり、音孔６Ｂがタンポ付きキー６ＢＰにより閉塞される。鍵２ＢＫを押さえることにより、タンポ付きキー２ＢＰが上がって音孔２Ｂが開放する。同時に、部位０２０が上がることで、部位００５が上がり、タンポ付きキー０ＡＰにより音孔０Ａが閉塞される。また、部位００５が上がることで鍵０ＡＫＡが下がり、当該鍵０ＡＫＡとバレルとの間に位置するタンポ付きキー３Ｐにより音孔３が閉塞される。また、部位００５が上がることで更に部位００１が上がって部位０２５が上がり、タンポ付きキー２ＡＰにより音孔２Ａが閉塞される。また、前記鍵２ＢＫを押さえたときに、更に、部位０２１及び００７がそれぞれ上がり、部位００６が下がることでタンポ付きキー５Ｐにより音孔５が閉塞される。
これにより、図８に示されるように、音孔４Ａまで管の有効長さになり、Ｇ♯音が出ることとなる。
【００３２】
（４）１８Ｒ、１６Ｒ１９Ｐ、１４Ｒ、１０ＡＲ、６ＡＲ８Ｐ、６ＢＫ、０ＢＫを押さえたとき（図４（Ｄ）の指使い）
図５及び図９に示されるように、リングキー１８Ｒを押さえることで音孔１８が閉塞する。リングキー１６Ｒ１９Ｐを押さえることで音孔１６が閉塞されるとともに、タンポ付きキー１９によって音孔１９が閉塞される。リングキー１４Ｒを押さえることによって部位１４０が上がって部位１１７が上がり、音孔１１Ｂが閉塞される。同時に、部位１４５が下がって音孔１５がタンポ付きキー１５Ｐによって閉塞される。リングキー１０ＡＲを押さえることにより、音孔１０Ａが閉塞されるとともに、部位１００が上がって部位０９７が上がり、音孔９Ｂがタンポ付きキー９ＢＰにより閉塞され、また、部位１０５が下がって音孔１１Ａがタンポ付きキー１１ＡＰによって閉塞される。リングキー６ＡＲ８Ｐを押さえることにより、音孔６Ａが閉塞するとともに、タンポ付きキー８Ｐで音孔８が閉塞される。同時に、部位０６０が上がって部位０９６が上がり、音孔９Ａがタンポ付きキー９ＡＰによって閉塞される。鍵６ＢＫを押さえることで、部位０６２が上がって部位０６５が上がり、音孔６Ｂがタンポ付きキー６ＢＰにより閉塞される。０ＢＫを押さえることにより、タンポ付きキー０ＢＰが上がって音孔０Ｂが開放する。同時に、部位００３が上がって部位０１９が上がり、これにより、音孔１はタンポ付きキー１Ｐにより閉塞される。部位０１９が上がったときには、部位０１８が下がって部位０３０も下がり、タンポ付きキー３Ｐにより音孔３が閉塞される。また、鍵０ＢＫを押さえることにより、更に、部位００２が上がり、部位００７が上がる。これにより、部位００６が下がって音孔５がタンポ付きキー５Ｐによって閉塞される。
これにより、図９に示されるように、音孔４まで管の有効長さになり、図８の場合と同様にＧ♯音が出ることとなる。
【００３３】
（５）１８Ｒ、１６Ｒ１９Ｐ、１４Ｒ、１０ＡＲ、６ＡＲ８Ｐ、６ＢＫ、４ＡＲ、１ＫＡ、０ＢＫを押さえたとき（図４（Ｅ）の指使い）
図５及び図１０に示されるように、リングキー１８Ｒを押さえることで音孔１８が閉塞する。このとき、部位１８０が上がり、部位１６５も上がってタンポ付きキー１９Ｐは音孔１９Ｐを閉塞するが、当該音孔１９Ｐは、リングキー１６Ｒ１９Ｐを押さえることでも音孔１６と共に閉塞される。リングキー１４Ｒを押さえることによって部位１４０が上がって部位１１７が上がり、音孔１１Ｂが閉塞される。同時に、部位１４５が下がって音孔１５がタンポ付きキー１５Ｐによって閉塞される。リングキー１０ＡＲを押さえることにより、音孔１０Ａが閉塞されるとともに、部位１００が上がって部位０９７が上がり、音孔９Ｂがタンポ付きキー９ＢＰにより閉塞され、また、部位１０５が下がって音孔１１Ａがタンポ付きキー１１ＡＰによって閉塞される。リングキー６ＡＲ８Ｐを押さえることにより、音孔６Ａが閉塞するとともに、タンポ付きキー８Ｐで音孔８が閉塞される。同時に、部位０６０が上がって部位０９６が上がり、音孔９Ａがタンポ付きキー９ＡＰによって閉塞される。鍵６ＢＫを押さえることで、部位０６２が上がって部位０６５が上がり、音孔６Ｂがタンポ付きキー６ＢＰにより閉塞される。リングキー４ＡＲを押さえることで、部位０４５が下がって部位０４１も下がり、部位０４０が上がることで部位０５５が上がり、タンポ付きキー５により音孔５が閉塞される。また、鍵１ＫＡを押さえることで、部位０１７が下がって部位０１２が下がり、タンポ付きキー１Ｐにより音孔１が閉塞される。部位０１２が下がったときに、同時に部位０１８も下がり、部位０３０が下がって音孔３がタンポ付きキー３Ｐにより閉塞される。また、鍵１ＫＡの押さえ操作は、部位０００を下げることとなり、鍵０ＡＫＡが下がる。これにより、部位００１が上がって部位０２５が上がり、音孔２Ａがタンポ付きキー２ＡＰにより閉塞されるとともに、音孔０Ａがタンポ付きキー０ＡＰにより閉塞される。更に、鍵０ＢＫを押さえることで、タンポ付きキー０ＢＰが上がって音孔０Ｂが開放する。
これにより、LowＥの音が出ることとなる。
【００３４】
（６）１８Ｒ、１６Ｒ１９Ｐ、１４Ｒ、１０ＡＲ、６ＡＲ８Ｐ、６ＢＫ、４ＡＲ、１ＫＢを押さえたとき（図４（Ｆ）の指使い）
図５及び図１１に示されるように、リングキー１８Ｒを押さえることで音孔１８が閉塞する。リングキー１６Ｒ１９Ｐを押さえることで音孔１６が閉塞されるとともに、タンポ付きキー１９によって音孔１９が閉塞される。リングキー１４Ｒを押さえることによって部位１４０が上がって部位１１７が上がり、音孔１１Ｂが閉塞される。同時に、部位１４５が下がって音孔１５がタンポ付きキー１５Ｐによって閉塞される。リングキー１０ＡＲを押さえることにより、音孔１０Ａが閉塞されるとともに、部位１００が上がって部位０９７が上がり、音孔９Ｂがタンポ付きキー９ＢＰにより閉塞され、また、部位１０５が下がって音孔１１Ａがタンポ付きキー１１ＡＰによって閉塞される。リングキー６ＡＲ８Ｐを押さえることにより、音孔６Ａが閉塞するとともに、タンポ付きキー８Ｐで音孔８が閉塞される。同時に、部位０６０が上がって部位０９６が上がり、音孔９Ａがタンポ付きキー９ＡＰによって閉塞される。鍵６ＢＫを押さえることで、部位０６２が上がって部位０６５が上がり、音孔６Ｂがタンポ付きキー６ＢＰにより閉塞される。リングキー４ＡＲを押さえることで、部位０４５が下がって部位０４１も下がり、部位０４０が上がることで部位０５５が上がり、タンポ付きキー５により音孔５が閉塞される。鍵１ＫＢを押さえることにより、部位０１１が上がって部位０１５も上がり、更に、部位０１０と０２６が上がることで、音孔２Ａがタンポ付きキー２ＡＰにより閉塞される。また、部位０１５が上がったときに部位０１６が下がって音孔１がタンポ付きキー１Ｐにより閉塞され、部位０１８が下がって部位０３０が下がり、音孔３がタンポ付きキー３Ｐにより閉塞される。これにより、音孔０Ａを除く他の音孔が閉塞されてLowＥの音が出る。
【００３５】
（７）１８Ｒ、１６Ｒ１９Ｐ、１４Ｒ、１０ＡＲ、６ＡＲ８Ｐ、６ＢＫ、４ＡＲ、０ＡＫＡ、１ＫＢを押さえたとき（図４（Ｇ）の指使い）
リングキー１８Ｒを押さえることで音孔１８が閉塞する。リングキー１６Ｒを押さえることで音孔１６が閉塞されるとともに、タンポ付きキー１９によって音孔１９が閉塞される。リングキー１４Ｒを押さえることによって部位１４０が上がって部位１１７が上がり、音孔１１Ｂが閉塞される。同時に、部位１４５が下がって音孔１５が閉塞される。リングキー１０ＡＲを押さえることにより、部位１００が上がって部位０９７が上がり、音孔９Ｂが閉塞する。同時に、部位１０５が下がって音孔１１Ａが閉塞する。リングキー６ＡＲ８Ｐを押さえることにより、音孔６Ａが閉塞するとともに、タンポ付きキー８Ｐで音孔８が同時に閉塞する。同時に、部位０６０が上がって部位０９６が上がり、音孔９Ａがタンポ付きキー９ＡＰによって閉塞される。鍵６ＢＫを押さえることで、部位０６２が上がって部位０６５が上がり、音孔６Ｂがタンポ付きキー６ＢＰにより閉塞される。リングキー４ＡＲを押さえることで、部位０４５が下がって部位０４１も下がり、部位０４０が上がることで部位０５５が上がり、これにより、タンポ付きキー５により音孔５が閉塞される。鍵０ＡＫＡを押さえることにより、音孔０Ａがタンポ付きキー０ＡＰにより閉塞される。また、鍵１ＫＢを押さえることにより、部位０１１が上がって部位０１５も上がり、更に、部位０１０と０２６が上がることで、音孔２Ａがタンポ付きキー２ＡＰにより閉塞される。また、部位０１５が上がったときに部位０１６が下がって音孔１がタンポ付きキー１Ｐにより閉塞され、部位０１８が下がって部位０３０が下がり、これにより、音孔３がタンポ付きキー３Ｐにより閉塞される。これにより、LowＤ♯の音が出る。
【００３６】
次に、以上の構成に基づく本実施形態に係る指使いの容易性について、図１３〜図１８を参照しながら説明する。なお、図１３〜図１８は、従来のクラリネット属における指使いの難しい場合を示した図２７〜図３２にそれぞれ対応するものである。
【００３７】
図１３（Ａ）、（Ｂ）、（Ｃ）にそれぞれ対応したＢ音、Ｃ♯音、Ｄ♯音をその順番で演奏する場合において、Ｂ音は、図２２（Ｃ）に示される従来例と実質的に同様に、左手親指でリングキー１８Ｒ、左手人差し指でリングキー１６Ｒ１９Ｐ、左手中指でリングキー１４Ｒ、左手薬指でリングキー１０ＡＲを押さえる一方、右手中指で鍵６ＢＫを押さえる状態となる。Ｂ音からＣ♯音に移るときは、本実施形態に係る図４（Ｂ）及び図７に基づいて説明した指使いを用いることにより、左手薬指をリングキー１０ＡＲから離すだけで対応することができる。そして、Ｃ♯音からＤ♯音に移るときは、図２１（Ｄ）に示した従来の指使いを用いることにより、すなわち、左手中指をリングキー１４Ｒから離すだけで対応することが可能となる。従って、Ｂ音、Ｃ♯音、Ｄ♯音の順に演奏するときは、指を順番に離すだけの操作となり、演奏が楽になる。
【００３８】
図１４（Ａ）、（Ｂ）、（Ｃ）にそれぞれ対応するLowＥ音、LowＦ♯音、Ｇ♯音の順番に演奏する場合において、LowＥ音は、図２５（Ａ）の従来と実質的に同様の指使いが用いられる。すなわち、左手親指でリングキー１８Ｒ、左手人差し指でリングキー１６Ｒ１９Ｐ、左手中指でリングキー１４Ｒ、左手薬指でリングキー１０ＡＲ、左手小指で鍵０ＢＫを押さえる一方、右手人差し指でリングキー６ＡＲ８Ｐ、右手中指で鍵６ＢＫ、右手薬指でリングキー４ＡＲ、右手小指で鍵０ＡＫＡを押さえる。LowＥ音からLowＦ♯音に移るときは、図２３（Ｃ）に示した従来と実質的に同様の指使いを用いればよく、従って、鍵０ＡＫＡから右手小指を離すだけで足りる。LowＦ♯音からＧ♯音に移るときは、本実施形態に係る図４（Ｄ）及び図９に示した指使いを用いることができるため、右手薬指をリングキー４ＡＲから離すだけの操作でよい。
従って、LowＥ音、LowＦ♯音、Ｇ♯音の順番に演奏するときも、指を順番に離すだけの操作となり演奏が楽になる。
【００３９】
図１５（Ａ）、（Ｂ）、（Ｃ）に対応するＣ音、Ｃ♯音、Ｄ♯音の順に演奏する場合において、Ｃ音は、図２２（Ｂ）に示した従来の指使いと同様に、左手親指でリングキー１８Ｒ、左手人差し指でリングキー１６Ｒ１９Ｐ、左手中指でリングキー１４Ｒ、左手薬指でリングキー１０ＡＲを押さえる。Ｃ♯音に移るときも、図２２（Ａ）に示した従来と同様の指使いにより、左手小指で鍵１０ＢＫを押さえればよい。そして、Ｄ♯音に移るときは、本実施形態に係る図４（Ａ）及び図６に示し得た指使いにより、リングキー１０ＡＲ、１４Ｒを押さえている左手薬指と中指をそれぞれ離すことによって対応可能となる。従って、Ｃ音、Ｃ♯音、Ｄ♯音の順に演奏する場合には、押さえるか離すかの何れか一方の操作となり、演奏が楽になる。
【００４０】
また、図１６（Ａ）、（Ｂ）、（Ｃ）に対応するLowＦ音、LowＦ♯音、Ｇ♯音の順に演奏する場合において、LowＦ音は、図２４（Ａ）に示した従来例と実質的に同様の指使いを用いる。すなわち、左手親指でリングキー１８Ｒ、左手人差し指でリングキー１６Ｒ１９Ｐ、左手中指でリングキー１４Ｒ、左手薬指でリングキー１０ＡＲを押さえ、右手人差し指でリングキー６ＡＲ８Ｐ、右手中指で鍵６ＢＫ、右手薬指でリングキー４ＡＲ、右手小指で鍵０ＡＫＡを押さえる。LowＦ♯音に移るときも図２３（Ｂ）に示した従来例と実質的に同様の指使いを行うことにより、左手小指で鍵２ＢＫを押さえるだけで足りる。そして、Ｇ♯音に移る際に、本実施形態に係る図４（Ｃ）及び図８の指使いを採用することで、鍵０ＡＫＡ及びリングキー４ＡＲから右手小指と薬指を離すだけで対応することができる。従って、LowＦ音、LowＦ♯音、Ｇ♯音の順に演奏する際の操作は、押さえるか離すだけの操作となり、演奏が楽になる。
【００４１】
図１７（Ａ）、（Ｂ）、（Ｃ）に対応するLowＤ♯音、LowＥ音、LowＦ♯音の順に演奏する場合において、LowＤ♯音は、従来の指使いとして示した図２６と実質的に同様の指使いが用いられる。すなわち、左手親指でリングキー１８Ｒ、左手人差し指でリングキー１６Ｒ１９Ｐ、左手中指でリングキー１４Ｒ、左手薬指でリングキー１０ＡＲを押さえ、右手人差し指でリングキー６ＡＲ８Ｐ、右手中指で鍵６ＢＫ、右手薬指でリングキー４ＡＲ、右手小指で鍵１ＫＡを押さえる。LowＥ音に移るときは、本実施形態で示した図４（Ｅ）及び図１０の指使いを採用すればよく、従って、左手小指で鍵０ＢＫを押さえればよい。そして、LowＦ♯音に移るときは、図２３（Ｃ）に示した従来と実質的に同様の指使いを用いればよく、鍵１ＫＡから右手小指を離すだけの操作となる。従って、この場合においても、押さえるか離すかの選択的な操作となり、演奏が楽になる。
【００４２】
図１８（Ａ）、（Ｂ）、（Ｃ）に対応するLowＦ音、LowＤ♯音、LowＥ音の順に演奏する場合において、LowＦ音は、図２４（Ａ）に示した従来例と実質的に同様の指使いを用いる。すなわち、左手親指でリングキー１８Ｒ、左手人差し指でリングキー１６Ｒ１９Ｐ、左手中指でリングキー１４Ｒ、左手薬指でリングキー１０ＡＲを押さえ、右手人差し指でリングキー６ＡＲ８Ｐ、右手中指で鍵６ＢＫ、右手薬指でリングキー４ＡＲ、右手小指で鍵０ＡＫＡを押さえる。LowＤ♯音に移るときは、本実施形態に係る図４（Ｇ）及び図１２の指使いにより、左手小指で鍵１ＫＢを押さえるだけでよく、LowＥに移るときは、本実施形態に係る図４（Ｆ）及び図１１の指使いにより、右手小指を鍵０ＡＫＡから離すだけの操作となる。従って、LowＤ♯音、LowＥ音の順に演奏する場合も、押さえる操作か離す操作の何れかとなり演奏が楽になる。
【００４３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変形を加えることができるものである。
【００４４】
例えば、前記実施形態では、（１）Ｂ音、Ｃ♯音、Ｄ♯音の順、（２）LowＥ音、LowＦ♯音、Ｇ♯音の順、（３）Ｃ、Ｃ♯音、Ｄ♯音の順、（４）LowＦ音、LowＦ♯音、Ｇ♯音の順、（５）LowＤ♯音、LowＥ音、LowＦ♯音の順、及び（６）LowＦ音、LowＤ♯音、LowＥ音の順番で演奏する際に、鍵等を離す操作と押さえる操作を同時に必要としない構成としたが、本発明はこれに限定されるものではなく、少なくとも、これら（１）ないし（６）の何れかについて離す操作と押さえる操作とが選択的になれば足りる。
【図面の簡単な説明】
【００４５】
【図１】本実施形態に係るクラリネット属の鍵、リングキー、タンポ付きキー及び一部の音孔と、これらを操作する指との対応関係を示す概略展開説明図。
【図２】本実施形態に係る全音孔とこれらを操作する鍵、リングキー、タンポ付きキーとの対応関係を示す概略展開図。
【図３】本実施形態の鍵、リングキー、音孔を、従来のクラリネット属と対称的に示した展開図。
【図４】（Ａ）〜（Ｇ）は、本実施形態の新規な指使いを示した概略展開説明図。
【図５】本実施形態に係る鍵、リングキー、タンポ付きキーを分解した展開図。
【図６】図４（Ａ）の指使いでＤ♯音を出す音孔状態を示す概略展開図。
【図７】図４（Ｂ）の指使いでＣ♯音を出す音孔状態を示す概略展開図。
【図８】図４（Ｃ）の指使いでＧ♯音を出す音孔状態を示す概略展開図。
【図９】図４（Ｄ）の指使いでＧ♯音を出す音孔状態を示す概略展開図。
【図１０】図４（Ｅ）の指使いでLowＥ音を出す音孔状態を示す概略展開図。
【図１１】図４（Ｆ）の指使いでLowＥ音を出す音孔状態を示す概略展開図。
【図１２】図４（Ｇ）の指使いでLowＤ♯音を出す音孔状態を示す概略展開図。
【図１３】Ｂ音、Ｃ♯音、Ｄ♯音の順に演奏する指使いを示す説明図。
【図１４】LowＥ音、LowＦ♯音、Ｇ♯音の順に演奏する指使いを示す説明図。
【図１５】Ｃ音、Ｃ♯音、Ｄ♯音の順に演奏する指使いを示す説明図。
【図１６】LowＦ音、LowＦ♯音、Ｇ♯音の順に演奏する指使いを示す説明図。
【図１７】LowＤ♯音、LowＥ音、LowＦ♯音の順に演奏する指使いを示す説明図。
【図１８】LowＦ音、LowＤ♯音、LowＥ音の順に演奏する指使いを示す説明図。
【図１９】従来のクラリネット属の鍵、リングキー、タンポ付きキー及び一部の音孔と、これらを操作する指との対応関係を示す概略展開説明図
【図２０】従来のクラリネット属における全音孔とこれらを操作する鍵、リングキー、タンポ付きキーとの対応関係を示す概略展開図。
【図２１】従来のクラリネット属における指使いを示す説明図。
【図２２】従来のクラリネット属における指使いを示す説明図。
【図２３】従来のクラリネット属における指使いを示す説明図。
【図２４】従来のクラリネット属における指使いを示す説明図。
【図２５】従来のクラリネット属における指使いを示す説明図。
【図２６】従来のクラリネット属における指使いを示す説明図。
【図２７】Ｂ音、Ｃ♯音、Ｄ♯音の順に演奏する指使いの困難性を説明するための概略展開図。
【図２８】LowＥ音、LowＦ♯音、Ｇ♯音の順に演奏する指使いの困難性を説明するための概略展開図。
【図２９】Ｃ音、Ｃ♯音、Ｄ♯音の順に演奏する指使いの困難性を説明するための概略展開図。
【図３０】LowＦ音、LowＦ♯音、Ｇ♯音の順に演奏する指使いの困難性を説明するための展開図。
【図３１】LowＤ♯音、LowＥ音、LowＦ♯音の順に演奏する指使いの困難性を説明するための展開図。
【図３２】LowＦ音、LowＤ♯音、LowＥ音の順に演奏する指使いの困難性を説明するための展開図。
【符号の説明】
【００４６】
Ｋ…鍵、Ｒ…リングキー、Ｐ…タンポ付きキー、０Ａ、２Ｂ、４Ｂ、１０Ｂ…通常音孔、０Ｂ、２Ａ、４Ａ、１０Ａ…追加音孔、０〜２４…音孔
【図１】
2008216832.tif 000003
【図２】
2008216832.tif 000004
【図３】
2008216832.tif 000005
【図４】
2008216832.tif 000006
【図５】
2008216832.tif 000007
【図６】
2008216832.tif 000008
【図７】
2008216832.tif 000009
【図８】
2008216832.tif 000010
【図９】
2008216832.tif 000011
【図１０】
2008216832.tif 000012
【図１１】
2008216832.tif 000013
【図１２】
2008216832.tif 000014
【図１３】
2008216832.tif 000015
【図１４】
2008216832.tif 000016
【図１５】
2008216832.tif 000017
【図１６】
2008216832.tif 000018
【図１７】
2008216832.tif 000019
【図１８】
2008216832.tif 000020
【図１９】
2008216832.tif 000021
【図２０】
2008216832.tif 000022
【図２１】
2008216832.tif 000023
【図２２】
2008216832.tif 000024
【図２３】
2008216832.tif 000025
【図２４】
2008216832.tif 000026
【図２５】
2008216832.tif 000027
【図２６】
2008216832.tif 000028
【図２７】
2008216832.tif 000029
【図２８】
2008216832.tif 000030
【図２９】
2008216832.tif 000031
【図３０】
2008216832.tif 000032
【図３１】
2008216832.tif 000033
【図３２】
2008216832.tif 000034